(57)【要約】この発明は、特に、手持ち器具（２３）に挿入体（２２）を固定するための動力学的キイに関する。前記動力学的キイは、握り部（３）及び固定具（５）からなり、前記二つの要素は、スプリング（１）を介して摩擦回転により連結し、このスプリングの端部が組みつけられて、全体的に円環体の形状をしていることを特徴とする。
2004514513.tif 000002
【特許請求の範囲】
【請求項１】
固定すべき要素（２２）、特に、歯科用手持ち器具に対し挿入体を締め付けたり／緩めたりするための動力学的キイであって、
−握り要素（３）と、少なくとも固定すべき要素（２２）に対し回転することで連結し合う固定要素（５）とによって構成され、
−前記握り要素（３）と固定要素（５）とは、端部同士がつながれて実質的に円環体形状になっている螺旋状のスプリング（１）を介して摩擦回転により連結されており、
−中間面（Ｐ）の両側に位置する、同じ巻き線部分の二つの部分（１ａ，１ｂ）がスプリング（１）の放射軸（Ｏｒ）に対し同じ側に傾斜していることを特徴とするもの。
【請求項２】
スプリング（１）の巻線部が自由な状態においては、その放射軸（Ｏｒ）にそって平坦になっている形状をもつことを特徴とする請求項１による動力学的キイ。
【請求項３】
スプリング（１）がその放射軸（Ｏｒ）にそって圧縮されていることを特徴とする請求項１又は請求項２による動力学的キイ。
【請求項４】
固定要素（５）は、円筒形の外側溝（７）を備えている円筒形の要素により構成され、前記溝は、スプリング（１）に合致し、前記スプリングが自由状態にあるとき、前記溝の基部の直径（ｄ）がスプリング（１）の内側直径（ｄ’）よりも僅かに大きくなっていることを特徴とする前記請求項の一つによる動力学的キイ。
【請求項５】
握り要素（３）は、空になっている円筒形の凹部（１８）を有し、この凹部は直径（Ｄ）を有し、前記固定要素（５）の直径（ｄ）との関係では空隙（Ｄ−ｄ）／２で、スプリング（１）が自由状態にあるとき、前記巻線部の高さ（ｅ）よりも小さく、該巻線部を圧縮できることを特徴とする請求項４による動力学的キイ。
【請求項６】
握り要素（３）は、二つの部分、即ち、実質的に円筒形の上位部分（３ａ）と実質的に鈴形状の下位部分（３ｂ）とを備えていることを特徴とする前記請求項の一つによる動力学的キイ。
【請求項７】
鈴形状の部分（３ｂ）の内部容積は、治具（２２）が前記鈴状体の内側に位置さえすれば、これを包むことができるものである請求項６による動力学的キイ。
【請求項８】
スプリング（１）により握り要素（３）に対し固定要素（５）を軸方向（ｙｙ’）に保持することを特徴とする前記請求項の一つによる動力学的キイ。
【発明の詳細な説明】
【０００１】
この発明は、動力学的キイに関し、さらに詳しくは歯科用手持ち器具に挿入体を締め付け保持すること及び緩めて外すことが確実に行えるキイに関するものである。
【０００２】
産業に使用されている、かなりの締めつけ力と緩める力とを与える動力学的キイは、知られている。このような動力学的キイは、複合された機械的要素から構成され、それぞれの体積をもつ装置に簡単に使用されているが、これらをより小形にしたい場合には、製造するのに極めて困難であり、費用がかかる。
【０００３】
米国特許６０２１６９４号は、特に、外科用のための動力学的キイを記載しており、これは、リニアの螺旋状スプリングを内蔵する筒形要素により構成され、その圧縮レベルは、調節ねじにより決められるようになっている。この圧縮スプリングは、ボールベアリングのハウジングの外側部分に作用の摩擦力で作動し、その摩擦力によって決められたモーメントが前記キイの端部に再度伝えられる。このような器具は、利用の領域、特に歯科用には使用することが難しいもので、それは、この器具により構成されたレバーアームが大型になり、使用する技術が追いつかないからである。
【０００４】
この発明は、構造的に特にコンパクトで、単純であり、さらに、使用時、前記キイを扱う人の手を治具の端部から守る動力学的キイを提案することを目的とするものである。
【０００５】
かくして、この発明は、固定すべき要素、特に、歯科用手持ち器具に対し挿入体を締め付けたり／緩めたりするための動力学的キイであって、握り要素と、少なくとも固定すべき要素に対し回転することで連結し合う固定要素とによって構成され、前記握り要素と固定要素とは、端部同士がつながれて実質的に円環体形状になっている螺旋状のスプリングを介して摩擦回転により連結されており、中間面の両側に位置する、同じ巻き線部分の二つの部分がスプリング（１）の放射軸に対し同じ側に傾斜していることを特徴とする動力学的キイを目的とする。
【０００６】
スプリングの巻線部が自由な状態においては、その放射軸にそって平坦になっており、この平坦な形状は、特に楕円形になるものが好ましい。
【０００７】
固定要素は、円筒形の外側溝を備えている円筒形の要素により構成され、前記溝は、スプリングに合致し、前記スプリングが自由状態にあるとき、前記溝の基部の直径がスプリングの内側直径よりも僅かに大きくなっていることが好ましい。
【０００８】
握り要素は、空になっている円筒形の凹部を有し、この凹部は直径を有し、前記固定要素の直径との関係をもち、スプリングが自由状態にあるとき、前記巻線部の高さよりも小さく、該巻線部を圧縮できるものである。
【０００９】
この発明の実施の態様においては、握り要素は、二つの部分、即ち、実質的に円筒形の上位部分と実質的に鈴形状の下位部分とを備えている。
【００１０】
鈴形状の部分の内部容積は、治具が前記鈴状体の内側に位置さえすれば、これを包むことができるものである。
【００１１】
この実施の態様においては、前記握り要素に対し前記固定要素を軸方向に動かないようにするには、スプリングそれ自体によって簡単に行えるもので、この機構の単純さとは別に前記スプリングで器具の組みつけ及び外しができる。
【００１２】
この発明によれば、握り要素で固定要素を駆動して回転させるために必要なモーメントは、他方の方向に回転させるより一つの方向に回転させる場合の方が大きいものであることが分かっている。このような条件のもと、低いモーメントを生む回転方向が前記手持ち器具への挿入体の締め付けのモーメントに相当し、他方の方向への回転がうまく調節されれば前記手持ち器具から前記挿入体を緩めることができるより大きなモーメントを与えるものであることが理解される。
【００１３】
所定の寸法と機械的特性のスプリングにとり、締め付け／緩めるモーメントは、前記スプリングが配置されるハウジングを備え、寸法により前記スプリングの巻線部を実質的に放射方向に圧縮することによって増加することが観察されているものである。
【００１４】
この発明の実施の態様を添付の図面を参照しながら限定されない態様により以下に記載する。
【００１５】
図１ａは、通常の形式のらせん形状のスプリング１’を示しており、このスプリングの両端が組みつけられて、全体的に円環体形状を呈するようになっている。中間面Ｐ（図１ｃ）の両側それぞれの側に位置する二つの曲げられた半体１’ａ，１’ｂ は、前記スプリングを平面でみたとき（図１ａ）、放射軸Ｏｒに対し実質的に対称で、それぞれの曲げられた半体半体１’ａ，１’ｂ は、前記軸Ｏｒに対し等しい度α’１及びα’２になっている。
【００１６】
この発明による装置については、この装置は、全体的に円環体形状である同じような同じ形式のスプリングに関するが、前記曲げられた半体１ａ，１ｂが放射軸Ｏｒの同じ側に傾斜しているものになっている。この発明によれば、図１ｂ，１ｃに示すように、それぞれの曲げられた半体１ａ，１ｂは、放射軸Ｏｒに対し異なる角度α１，α２になっている。
【００１７】
この形式のスプリングは、これらがねじり力（トーション）モーメントを伝える中間要素として使用されるときにおいては、一方の方向にそれらが回転したとき、ある与えられた固定の値のモーメントＣをスライドする前に伝え、該モーメントよりも低い与えられた固定の値Ｃ’の別のモーメントが他方の方向の回転で伝えられ、これら二つのモーメントの二つの絶対値Ｃ及びＣ’が当然のことながら前記スプリングが接触しているマテリアルズのファンクションになることが確認されている。スプリングが接触している部材に対しスプリング１が矢印Ｃの方向へ相対的に動くとき、即ち、前記スプリングの相対移動が巻きの内側から外側に向け、即ち、図１ｂの矢印Ｃの方向へそって行われるとき、より大きなモーメントＣが伝達されることが確認されている。
【００１８】
同じ性質のスプリング類は、従来の技術で知られており、数多くのものに利用されているが、現在まで、決定されたそれぞれの固定の回転モーメントを伝えることには利用されていない。
【００１９】
図２から図４に示した、この発明による動力学的キイは、必須的には、グリップ要素を形成するアルミニウムから作られた外側リング３とステンレススチールから作られた内側コア５とから構成され、それらの間には、図１ｂ，図１ｃに示した前記した形式のスプリング１が配置されている。
【００２０】
リング３とコア５とは、当然のことながら、他のマテリアル、特にプラスチックスやセラミックスでも作られる。
【００２１】
内側コア５は、円筒状の要素で構成され、これは、環状の空溝７を有し、その内径ｄは、スプリング１がしっかり納まるような寸法になっている。この目的のために、前記スプリングが自由状態にあるとき、内径ｄは、スプリング１の内径ｄ’よりも僅かに大きくなっている。空溝７の上では、コア５が第１のボス９を備え、このボスに対し直径が大きく、厚さが薄い第２のボス１１が続いている。空溝７の下では、円形のプレート１３が端末となっている。該コアの上部には、通孔２０が設けられ、この通孔は、例えば図６に示すように、ハンドピース（手持ち器具）２３の挿入部２２を締め付けたり、ゆるめたりする器具の、この発明による動力学的キイを回転する際に機械的リンク作用を確実にする。
【００２２】
前記外側リング３は、実質的に円筒形状の第１の部分３ａ（図において上側）を備え、これは、鈴形状の第２の部分３ｂ（図において下側）に続いている。円筒形状の部分３ａでスプリング１が予め設けられているコア５を受ける。この目的のため、前記リングは、円筒形の上位凹部１５，１７を備え、これら凹部は、それぞれ、前記ボス９，１１を受けるようになっている。凹部１７の下位には、円筒形のハウジング１８が作られており、その直径Ｄは、コア５の直径と共働して両者の間に空間が構成されるようになっており、この空間は、δＤ＝（Ｄ−ｄ）／２の関係を保つもので、その値で、スプリング１の曲げのコンプレッションの状態を決定する。
【００２３】
実際に、スプリング１のスプリング巻き線部分が放射状に圧縮されるとき、伝達される回転モーメンツの絶対値Ｃ及びＣ’が増大するのみならず、反対方向への回転に対するこれらのモーメンツの差δＣ＝Ｃ−Ｃ’も変化することが確認されている。計測によって、この差の値δＣは、前記スプリングの巻き線部の圧縮値δＤ＝（Ｄ−ｄ）／２と関係し、これは、スプリング１の所定の機械的特性に対するもので、これは、図５の曲線で示されたコースの関数により定まる。
【００２４】
所定の放射方向の圧縮レベルについては、伝達されたモーメンツＣ及びＣ’は、前記巻き線部を構成するワイヤの直径が太くなれば、高くなることも確認されている。
【００２５】
離れた間隔関係δＤ＝（Ｄ−ｄ）／２を調節し、そして、これを直径Ｄ及びｄの寸法を調節することにより、この発明による動力学的キイに適用されるモーメンツの値の間に存在する差δＣを調節することができる。
【００２６】
後者は、“挿入体”２２、即ち、歯科用手持ち器具２３のものを所定のモーメントＣ’できつく締めることができる点で特に関心を呼ぶ。
【００２７】
図６に示すように、この目的のために、専門医は、前記挿入体２２をスロット２０へ挿入することで、コア５の回転に連結でき、リング３を回転させる。この目的のためには、スプリング１をコア５に位置させ、締め付け方向へ回転することで、低い値のモーメントＣ’が前記挿入体に作用し、緩める方向へ回転することで、高い値のモーメントＣが作用して、取り外しができる。
【００２８】
この発明による動力学的キイは、単純なスプリング１により、締め付け方向を反対の方向にすることができる利点を有し、ピッチの方向が通常の方向に対し反対になっている挿入体／手持ち器具に容易に、かつ、素早く使用することができるものである点が注目される。
【００２９】
さらに、この発明による動力学的キイの形状により専門医が手で握り部分を回転するとき、鈴形状の部分３ｂにより挿入体に手が触れず、全く安全に操作できるものである。
【図面の簡単な説明】
【図１ａ】二つの端部が結合されて全体的に円環体になっている従来技術による螺旋状のソプリングの平面図。
【図１ｂ】この発明による動力学的キイに使用されるスプリングの平面図。
【図１ｃ】図１ｂにおけるスプリングの側面図。
【図２】この発明による動力学的キイの軸方向及び長さ方向断面図。
【図３】図２に示した動力学的キイの拡大部分図。
【図４】図２のＩＶ−ＩＶ線にそう動力学的キイの断面図。
【図５】放射方向にスプリングの巻線部に作用した変形のファンクションとして該スプリングのそれぞれの回転方向において、該スプリングにより伝達されたモーメントにおける差のバリエーションを表す曲線。
【図６】この発明による動力学的キイに手持ち器具の挿入体が位置する手持ち器具の一部の断面図。
【国際公開パンフレット】
2004514513.tif 000003
2004514513.tif 000004
2004514513.tif 000005
2004514513.tif 000006
2004514513.tif 000007
2004514513.tif 000008
2004514513.tif 000009
2004514513.tif 000010
2004514513.tif 000011
2004514513.tif 000012
2004514513.tif 000013
2004514513.tif 000014
2004514513.tif 000015
2004514513.tif 000016
【国際調査報告】
2004514513.tif 000017
2004514513.tif 000018
2004514513.tif 000019
2004514513.tif 000020